(57)【要約】      （修正有）【課題】特に身体の各部位を簡単に且つ確実に洗浄するための背中用洗浄具を提供する。【解決手段】本体１０と、前記本体の正面に形成される突起縁部１１と、前記本体に当接するように、該本体の背面に設置されると共に、外周壁に該本体に螺合されるねじ山が形成される固設柱を具備する複数の吸盤と、前記本体の背面に形成され、前記吸盤を受け入れるための複数の固設孔と、前記固設柱を受け入れるための螺合孔を備えると共に、前記固設孔の内部に嵌め込まれる固設部材と、前記螺合孔の内部に設けられ、前記固設柱と螺合する螺合部材とを有することを特徴とする。【選択図】図１
0003165108.tif 000002
【実用新案登録請求の範囲】
【請求項１】
本体と、
前記本体の正面に形成される突起縁部と、
前記本体に当接するように、該本体の背面に設置されると共に、外周壁に該本体に螺合されるねじ山が形成される固設柱を具備する複数の吸盤と、
前記本体の背面に形成され、前記吸盤を受け入れるための複数の固設孔と、
前記固設柱を受け入れるための螺合孔を備えると共に、前記固設孔の内部に嵌め込まれる固設部材と、
前記螺合孔の内部に設けられ、前記固設柱と螺合する螺合部材とを有することを特徴とする背中用洗浄具。
【請求項２】
前記本体の正面に、さらに複数のマッサージ用突起が設けられることを特徴とする請求項１に記載の背中用洗浄具。
【請求項３】
さらに、前記本体にネットカバーが被覆されることを特徴とする請求項１又は請求項２に記載の背中用洗浄具。
【請求項４】
さらに、前記ネットカバーに、該ネットカバーを前記本体に固定させるための固定部材が設けられることを特徴とする請求項３に記載の背中用洗浄具。
【請求項５】
前記固定部材が前記ネットカバーの周縁に設けられるゴムひもであることを特徴とする請求項４に記載の背中用洗浄具。
【請求項６】
前記ネットカバーにさらに取付開口が形成され、
該取付開口に横方向に沿ってゴムひもである固定部材が設けられることを特徴とする請求項４に記載の背中用洗浄具。
【請求項７】
前記本体が角丸直方体であることを特徴とする請求項１乃至請求項６の何れか１項に記載の背中用洗浄具。
【請求項８】
前記本体が円盤形であることを特徴とする請求項１乃至請求項６の何れか１項に記載の背中用洗浄具。
【請求項９】
前記本体がハート形であることを特徴とする請求項１乃至請求項６の何れか１項に記載の背中用洗浄具。
【考案の詳細な説明】
【技術分野】
【０００１】
本考案は、特に浴室の壁に固定し、風呂に入る時に使用する背中用洗浄具に関するものである。
【背景技術】
【０００２】
例えば、衛生の維持や、異臭の防止などの健康上又は社交上の目的のためには、通常は定期的に入浴する必要があり、また、従来の洗浄手段には、例えば身体の表面に石鹸などの洗剤を塗布し、手のひら又は洗浄具などで磨く方法などがある。
【考案の概要】
【考案が解決しようとする課題】
【０００３】
しかしながら、一般に背中を洗浄するには、手を背中に回し、手のひらやタオルなどで擦らなければならないので、老人や身体の硬い人、身体に障害がある人などは、この従来の手段では、背中をうまく洗浄することができなく、無理に手を背中に回し、洗浄作業を行おうとすると、怪我をする虞があった。
【０００４】
そこで、案出されたのが本考案であって、身体の各部位を確実に洗浄するための背中用洗浄具を提供することを目的としている。
【課題を解決するための手段】
【０００５】
本願の請求項１の考案は、本体と、
前記本体の正面に形成される突起縁部と、
前記本体に当接するように、該本体の背面に設置されると共に、外周壁に該本体に螺合されるねじ山が形成される固設柱を具備する複数の吸盤と、
前記本体の背面に形成され、前記吸盤を受け入れるための複数の固設孔と、
前記固設柱を受け入れるための螺合孔を備えると共に、前記固設孔の内部に嵌め込まれる固設部材と、
前記螺合孔の内部に設けられ、前記固設柱と螺合する螺合部材とを有することを特徴とする背中用洗浄具、を提供する。
【０００６】
本願の請求項２の考案は、前記本体の正面に、さらに複数のマッサージ用突起が設けられることを特徴とする請求項１に記載の背中用洗浄具、を提供する。
【０００７】
本願の請求項３の考案は、さらに、前記本体にネットカバーが被覆されることを特徴とする請求項１又は請求項２に記載の背中用洗浄具、を提供する。
【０００８】
本願の請求項４の考案は、さらに、前記ネットカバーに、該ネットカバーを前記本体に固定させるための固定部材が設けられることを特徴とする請求項３に記載の背中用洗浄具、を提供する。
【０００９】
本願の請求項５の考案は、前記固定部材が前記ネットカバーの周縁に設けられるゴムひもであることを特徴とする請求項４に記載の背中用洗浄具、を提供する。
【００１０】
本願の請求項６の考案は、前記ネットカバーにさらに取付開口が形成され、
該取付開口に横方向に沿ってゴムひもである固定部材が設けられることを特徴とする請求項４に記載の背中用洗浄具、を提供する。
【００１１】
本願の請求項７の考案は、前記本体が角丸直方体であることを特徴とする請求項１乃至請求項７の何れか１項に記載の背中用洗浄具、を提供する。
【００１２】
本願の請求項８の考案は、前記本体が円盤形であることを特徴とする請求項１乃至請求項７の何れか１項に記載の背中用洗浄具、を提供する。
【００１３】
本願の請求項９の考案は、前記本体がハート形であることを特徴とする請求項１乃至請求項７の何れか１項に記載の背中用洗浄具、を提供する。
【考案の効果】
【００１４】
本考案は上記の課題を解決するものであり、入浴時に、浴室の壁に固定した本体の正面で背中を擦って洗うことができる。また、前記本体は、浴室の壁に吸着固定される方式を採用しており、該本体の背面に設けられる吸盤を壁に押付けると、吸盤が壁に張り付き、該本体が吸着固定され、使用者が該本体を離れると、該本体が弾性を発揮し、元の形状に復元する。前記吸盤の固設柱は復元する本体と共に吸盤を引っ張るように移動するが、該本体は、該本体に当接する吸盤を壁に押付ける。これにより、周縁部が本体により壁に押付けられる吸盤が該固設柱に引っ張られて膨大し、吸盤の内部の真空度が増大されるので、吸盤の真空吸着効果を向上させることができる。
【００１５】
本考案に係る背中用洗浄具は、従来の身体の洗い方の概念を変えるものである。
【図面の簡単な説明】
【００１６】
【図１】本考案に係る背中用洗浄具の第１実施例を示す斜視図である。
【図２】本考案に係る背中用洗浄具の第１実施例を示す分解斜視図である。
【図３】本考案に係る背中用洗浄具の第１実施例を示す他の分解斜視図である。
【図４】本考案に係る背中用洗浄具の第１実施例における本体の平面断面図である。
【図５】本考案に係る背中用洗浄具の第１実施例における本体の使用状態を示す部分断面図である。
【図６】本考案に係る背中用洗浄具の第１実施例における本体の部分断面図である。
【図７】本考案に係る背中用洗浄具の第２実施例における本体の正面図である。
【図８】本考案に係る背中用洗浄具の第３実施例を示す分解正面図である。
【図９】本考案に係る背中用洗浄具の第４実施例を示す斜視図である。
【図１０】本考案に係る背中用洗浄具の第５実施例を示す斜視図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１は本考案に係る背中用洗浄具の第１実施例を示す斜視図であり、図２は本考案に係る背中用洗浄具の第１実施例を示す分解斜視図であり、図３は本考案に係る背中用洗浄具の第１実施例を示す他の分解斜視図であり、図４は本考案に係る背中用洗浄具の第１実施例における本体の平面断面図であり、図５は本考案に係る背中用洗浄具の第１実施例における本体の使用状態を示す部分断面図であり、図６は本考案に係る背中用洗浄具の第１実施例における本体の部分断面図であり、図７は本考案に係る背中用洗浄具の第２実施例における本体の正面図であり、図８は本考案に係る背中用洗浄具の第３実施例を示す分解正面図であり、図９は本考案に係る背中用洗浄具の第４実施例を示す斜視図であり、図１０は本考案に係る背中用洗浄具の第５実施例を示す斜視図である。
【００１９】
図１及び図２に示すように、本考案に係る背中用洗浄具の第１実施例は、発泡スチロールなどの弾性材料からなる本体（１０）と、該本体（１０）の正面に形成される突起縁部（１１）と、夫々該本体（１０）の正面における突起縁部（１１）の両側に形成される２つの凹入部（１２）と、該本体（１０）に当接するように、該本体（１０）の背面に設けられると共に、該本体（１０）に螺合されるねじ山が形成される固設柱（１４３）を具備する複数の吸盤（１４４）とを有する。
この構造によれば、前記吸盤（１４４）で浴室の壁に固定される本体（１０）の正面で身体を動かすことにより、身体の各部位、特に背中を擦って洗うことができる。
【００２０】
図３に示すように、本考案に係る背中用洗浄具の第１実施例は、さらに本体（１０）を被覆するネットカバー（２０）を有し、該ネットカバー（２０）は、該本体（１０）に固定するための固定部材（２１）を有するものである。尚、本実施例において該固定部材（２１）は、該ネットカバー（２０）の周縁に設けられるゴムひもである。
【００２１】
また、使用者が入浴する時は、前記本体（１０）の正面に石鹸など洗剤を塗布して身体を擦って洗うので、該本体（１０）を被覆するネットカバー（２０）により、大量の泡が発生し、より優れた洗浄効果を提供することができる。
【００２２】
図４に示す実施例においては、突起縁部（１１）及び２つの凹入部（１２）からなる形状が、略背中の形状に合ったものであるので、より理想的に背中を擦って洗うことができる。
【００２３】
図５及び図６に示す実施例においては、本体（１０）を浴室の壁に押し付けて吸着固定するため、吸盤（１４４）が壁に張り付き、該本体（１０）が弾性を発揮し、元の形状に復元する。前記吸盤（１４４）の固設柱（１４３）が復元する本体（１０）と共に吸盤（１４４）を引っ張るように移動するが、該本体（１０）は、該本体（１０）に当接する吸盤（１４４）を壁に押付ける。このことから、該固設柱（１４３）に引っ張られた吸盤（１４４）が膨大するが、吸盤（１４４）の周縁部が本体（１０）により壁に押付けられるので、吸盤（１４４）の内部の真空度が増大され、吸盤（１４４）の真空吸着効果を向上させることができる。
【００２４】
また、本考案に係る背中用洗浄具の第１実施例は、複数の固設孔（１４）と、固設部材（１４１）と、螺合部材（１４５）とを有し、そのうち複数の固設孔（１４）は、該本体（１０）の背面に形成され、該複数の固設孔（１４）に夫々複数の吸盤（１４４）が設けられ、該固設部材（１４１）は、該固設孔（１４）の内部に嵌め込まれると共に、該固設柱（１４３）を固定させるための螺合孔（１４２）が形成され、該螺合部材（１４５）は、該螺合孔（１４２）の内部に設けられると共に、該固設柱（１４３）と螺合される。
【００２５】
この構成によれば、前記本体（１０）の背面における固設孔（１４）の近傍が前記吸盤（１４４）の周縁部を浴室の壁に押付ける。本体（１０）が元の形状に復元する時、前記螺合部材（１４５）により本体（１０）に固定される固設柱（１４３）が本体（１０）の復元動作に応じて前記吸盤（１４４）を引っ張り、真空吸着効果を向上させるように、吸盤（１４４）の内部の真空度を増大させる。
【００２６】
また、本考案に係る背中用洗浄具の第１実施例においては、本体（１０）が美観及び使用上の利便性に優れた角丸直方体を呈する。
【００２７】
図７に示すように、本考案に係る背中用洗浄具の第２実施例は、前記第１実施例と略同様の本体（１０）を有するものであるが、該本体（１０）の正面に上述したような突起縁部（１１）及び２つの凹入部（１２）のみならず、さらに複数のマッサージ突起（１３）が設けられる構成であり、このマッサージ突起（１３）を用いることにより、身体の洗浄と同時に、マッサージ効果を得ることができる。
【００２８】
図８に示すように、本考案に係る背中用洗浄具の第３実施例は、前記第１実施例と略同様の本体（１０）を有するものであるが、該本体（１０）を被覆するネットカバー（２０Ａ）にさらに取付開口（２２Ａ）が形成されると共に、該取付開口（２２Ａ）には、横方向にゴムひもである固定部材（２１Ａ）が設けられる。
【００２９】
図９及び図１０に示すように、本考案に係る背中用洗浄具の第４実施例及び第５実施例は、前記第１実施例と略同様のものであるが、第４実施例における本体（１０Ｂ）は円盤状であり、第５実施例における本体（１０Ｃ）はハート形である。また、第４実施例及び第５実施例におけるネットカバー（２０Ｂ）（２０Ｃ）は、該本体（１０Ｂ）（１０Ｃ）に対応する形状を呈し、該本体（１０Ｂ）（１０Ｃ）を被覆するものである。即ち、本考案の第４実施例又は第５実施例に係る背中用洗浄具は、デザイン性にも優れるものである。
【産業上の利用可能性】
【００３０】
本考案は上記の構成を有するので、使用上の利便性を向上でき、確実に身体の各部位を洗浄することができる。
【符号の説明】
【００３１】
１０            本体
１０Ｂ          本体
１０Ｃ          本体
１１            突起縁部
１２            凹入部
１３            マッサージ突起
１４            固設孔
１４１          固設部材
１４２          螺合孔
１４３          固設柱
１４４          吸盤
１４５          螺合部材
２０            ネットカバー
２０Ａ          ネットカバー
２０Ｂ          ネットカバー
２０Ｃ          ネットカバー
２１            固定部材
２１Ａ          固定部材
２２Ａ          取付開口
【図１】
0003165108.tif 000003
【図２】
0003165108.tif 000004
【図３】
0003165108.tif 000005
【図４】
0003165108.tif 000006
【図５】
0003165108.tif 000007
【図６】
0003165108.tif 000008
【図７】
0003165108.tif 000009
【図８】
0003165108.tif 000010
【図９】
0003165108.tif 000011
【図１０】
0003165108.tif 000012